(57)【要約】【課題】本発明は、インテリジェント自動販売機を提供する。【解決手段】使用者の顔映像に基づいて、使用者の性別及び年齢を分析して、この性別年齢資料に相関するパーソナライズドレコメンド広告を再生して、プリセット時間内に、使用者の性別、年齢及び購買商品アイテムを収集して、これにより各期間の販売行為統計結果を作って、この販売行為統計結果に基づいて、対応する期間レコメンド広告を各期間に再生するインテリジェント自動販売機。【選択図】図１
2018097832.tif 000002
【特許請求の範囲】
【請求項１】
使用者の顔映像を撮影する撮影ユニットと、
撮影ユニットに結合され、前記撮影ユニットによる前記使用者の前記顔映像に基づいて、前記使用者の性別及び年齢を分析して性別年齢分析結果を得て、前記使用者に購買される商品アイテムを取得して、プリセット時間内に、前記使用者の前記性別年齢分析結果及びその購買された前記商品アイテムを収集し統計して、一日における期間毎に、消費が最も多い特定の使用者群及び最も販売された特定の商品種別を得て、これにより販売行為統計結果を作る処理ユニットと、
前記処理ユニットに結合され、それぞれ各前記期間における前記特定の使用者群及び前記特定の商品種別に対応する複数の期間レコメンド広告を記憶する記憶ユニットと、
前記処理ユニットに結合され、各前記期間内に、前記処理ユニットが各前記期間の前記販売行為統計結果に基づいて、前記記憶ユニットから対応する前記期間レコメンド広告を取得して、表示ユニットで再生する表示ユニットと、
を含むインテリジェント自動販売機。
【請求項２】
前記記憶ユニットに、各前記性別及び各前記年齢に対応する複数のパーソナライズドレコメンド広告が記憶され、前記撮影ユニットが当時使用者の前記顔映像を撮影すると、前記処理ユニットが前記撮影ユニットに撮影される前記当時使用者の前記顔映像に基づいて、前記当時使用者の前記性別及び前記年齢を即時に分析して、前記当時使用者に対応する前記性別年齢分析結果を得て、前記処理ユニットは、前記記憶ユニットから前記性別年齢分析結果に対応する前記パーソナライズドレコメンド広告を取得して前記表示ユニットで再生する請求項１に記載のインテリジェント自動販売機。
【請求項３】
前記処理ユニットは、各前記期間における各前記商品アイテムの販売個数を統計して、元の在庫量及び各前記期間の各前記販売個数に基づいて、補充必要時刻を予測する請求項１に記載のインテリジェント自動販売機。
【請求項４】
前記使用者が現金、プラスチック紙幣又はモバイル電子機器支払等の方式で、各前記商品アイテムの費用を支払うことができるように、前記処理ユニットに結合される支払設備を更に含み、前記処理ユニットは、前記使用者が前記商品アイテムを選定して支払った後に、前記使用者の支払い金額が正確であるかを判断して、正確であれば、前記商品アイテムに対応する実体商品を排出する請求項１に記載のインテリジェント自動販売機。
【請求項５】
前記使用者が前記商品アイテムを選定して支払った後に、前記使用者の支払い金額が不正確であると判断すれば、前記処理ユニットは前記表示ユニットにエラーメッセージを表示させるように制御することを更に含む請求項４に記載のインテリジェント自動販売機。
【請求項６】
前記処理ユニットに結合されるリモート通信ユニットと、
前記処理ユニットに結合され、前記当時使用者の購買状況を撮影して、前記処理ユニットが、前記リモート通信ユニットにより前記当時使用者の前記購買状況を即時にリモート管理サーバーに伝送して、前記リモート通信ユニットにより前記販売行為統計結果を前記リモート管理サーバーに伝送するモニタユニットと、
を更に含む請求項２に記載のインテリジェント自動販売機。
【請求項７】
前記処理ユニットに結合される近距離通信ユニットを更に備え、前記処理ユニットは、即時に前記当時使用者の前記性別及び前記年齢を分析して、前記当時使用者に対応する前記性別年齢分析結果を分析した後に、前記近距離通信ユニットにより前記パーソナライズドレコメンド広告に相関する、商品オンラインショッピングウェブサイトを提供する二次元バーコードを含む商品オンラインショッピングメッセージを前記当時使用者のモバイル電子機器に伝送する請求項２に記載のインテリジェント自動販売機。
【発明の詳細な説明】
【技術分野】
【０００１】
本発明は、インテリジェント自動販売機に関する。
【背景技術】
【０００２】
従来の自動販売機について、ただ使用者が硬貨を投入した後に使用者に選定された商品を供給することしかできず、使用者に如何なる購買アドバイス又は薦めを供給することもできず、使用者の購買行為を商品サプライヤにフィードバックすることもできない。又、伝統的な自動販売機は、商品が売り切れた時に、自動販売機が売り切れ表示になった後、次の商品補充まで待つだけで、使用者が商品を再度買うことができ、これは、使用者が購買しにくいことをもたらすだけでなく、商品サプライヤがこの商品供給の待ち時間における可能な収益を損失してしまうことにもなっている。
【発明の概要】
【発明が解決しようとする課題】
【０００３】
本発明は、使用者が近寄る時に、即時的な顔認識により判別された使用者の年齢及び性別結果に基づいて、使用者に適合するパーソナライズドレコメンド広告を薦めて使用者に見せるインテリジェント自動販売機を提供する。又、本発明に提供されるインテリジェント自動販売機の顔認識機能によって、使用者の性別年齢分析結果及び購買される商品アイテムを収集し統計して、一日における期間毎に、消費が最も多い特定の使用者群及び最も販売された特定の商品種別を得て、これにより各期間に異なる期間レコメンド広告を提供する。尚、使用者の消費行為を利用して、期間毎の各商品アイテムの販売個数を統計して、その後、販売状況に基づいて、各商品の補充必要時刻を予測し、この補充必要時刻の前に、サプライヤに適時的に商品を補充させて、これにより使用者により良い購買体験を持たせることができ、商品サプライヤに対しても、この補充の待ち時間における収益を損失することもない。
【課題を解決するための手段】
【０００４】
本発明の一実施形態は、使用者の顔映像を撮影する撮影ユニットと、撮影ユニットによる使用者の当該顔映像に基づいて、使用者の性別及び年齢を分析して性別年齢分析結果を得て、使用者に購買される商品アイテムを取得して、プリセット時間内に、使用者の性別年齢分析結果及びその購買される当該商品アイテムを収集し統計して、一日における期間毎に、消費が最も多い特定の使用者群及び最も販売される特定の商品種別を得て、これにより販売行為統計結果を作る処理ユニットと、それぞれ各当該期間における当該特定の使用者群及び当該特定の商品種別に対応する複数の期間レコメンド広告を記憶するための記憶ユニットと、処理ユニットに結合され、各期間内に、処理ユニットが各期間の販売行為統計結果に基づいて、記憶ユニットから対応する期間レコメンド広告を取得して、表示ユニットで再生する表示ユニットと、を含むインテリジェント自動販売機を提供する。
【０００５】
ある実施形態において、記憶ユニットには、各性別及び各年齢に対応するパーソナライズドレコメンド広告が記憶され、撮影ユニットが当時使用者の顔映像を撮影すると、処理ユニットは、撮影ユニットによる当時使用者の顔映像に基づいて、当時使用者の性別及び年齢を即時に分析して、当時使用者に対応する性別年齢分析結果を得て、処理ユニットは、記憶ユニットから性別年齢分析結果に対応するパーソナライズドレコメンド広告を取得して表示ユニットで再生する。
【０００６】
ある実施形態において、処理ユニットは、各期間における各商品アイテムの販売個数を統計して、元の在庫量及び各期間の各販売個数に基づいて、補充必要時刻を予測する。
【０００７】
ある実施形態において、インテリジェント自動販売機は、前記使用者が現金、プラスチック紙幣又はモバイル電子機器による支払等の方式で、各当該商品アイテムの費用を支払うことができるように、処理ユニットに結合される支払設備を更に含む。
【０００８】
ある実施形態において、処理ユニットは、使用者が商品アイテムを選定して支払った後に、使用者の支払い金額が正確であるかを判断して、正確であれば、当該商品アイテムに対応する実体商品を排出する。
【０００９】
ある実施形態において、処理ユニットは、使用者が商品アイテムを選定して支払った後に、使用者の支払い金額が不正確であると判断すれば、表示ユニットにエラーメッセージを表示させるように制御する。
【００１０】
ある実施形態において、インテリジェント自動販売機は、処理ユニットに結合されるリモート通信ユニットと、処理ユニットに結合され、当時使用者の購買状況を撮影して、処理ユニットが、リモート通信ユニットにより当時使用者の購買状況をリモート管理サーバーに即時に伝送するモニタユニットと、を更に含む。
【００１１】
ある実施形態において、インテリジェント自動販売機は、処理ユニットがリモート通信ユニットにより販売行為統計結果をリモート管理サーバーに伝送することを更に含む。
【００１２】
ある実施形態において、インテリジェント自動販売機は、処理ユニットに結合される近距離通信ユニットを更に備える。処理ユニットは、当時使用者の前記性別及び前記年齢を即時に分析して、当時使用者に対応する性別年齢分析結果を得た後に、近距離通信ユニットにより、パーソナライズドレコメンド広告に相関する商品オンラインショッピングメッセージを前記当時使用者のモバイル電子機器に伝送する。
【００１３】
ある実施形態において、商品オンラインショッピングメッセージは、商品オンラインショッピングウェブサイトを提供する二次元バーコードを含む。
【図面の簡単な説明】
【００１４】
【図１】本発明に係る第１の実施形態のインテリジェント自動販売機を示す機能ブロック図である。
【図２】本発明に係る第１の実施形態のインテリジェント自動販売機を示す外観模式図である。
【発明を実施するための形態】
【００１５】
以下に、図面で本発明の複数の実施形態を開示するが、明らかに説明するために、多くの実務上の細部は、以下の説明において併せて説明する。しかしながら、了解すべきなのは、これらの実務上の細部は、本発明を制限するためのものではない。即ち、本発明の実施形態の一部において、これらの実務上の細部は非必要であるものである。又、図面を簡略化するために、幾つかの従来慣用の構造と素子は、図面において簡単で模式的に描画されるものである。
【００１６】
図１は、本発明に係る第１の実施形態のインテリジェント自動販売機を示す機能ブロック図である。本発明によるインテリジェント自動販売機１００は、処理ユニット１１０と、撮影ユニット１２０と、記憶ユニット１３０と、リモート通信ユニット１４０と、支払設備１５０と、表示ユニット１６０と、近距離通信ユニット１７０と、モニタユニット１８０と、を含む。
【００１７】
処理ユニット１１０は、演算機能を有するプロセッサであってもよい。撮影ユニット１２０は、処理ユニット１１０に結合され、カメラであってもよい。記憶ユニット１３０は、処理ユニット１１０に結合され、ハードディスクであってもよい。リモート通信ユニット１４０は、処理ユニット１１０に結合され、広域ネットワークの通信インターフェイスカードであってもよい。支払設備１５０は、処理ユニット１１０に結合され、コイン投入機（投入口及び返金口を含む）、プラスチック紙幣センサ（例えばクレジットカード、ストアドバリューカードセンサ）又はスマートフォンモバイル決済のセンサであってもよい。表示ユニット１６０は、処理ユニット１１０に結合され、スクリーンであってもよい。近距離通信ユニット１７０は、処理ユニット１１０に結合され、ブルートゥース（登録商標）通信モジュールであってもよい。モニタユニット１８０は、処理ユニット１１０に結合され、監視映像レコーダーであってもよい。
【００１８】
図２は、本発明に係る第１の実施形態のインテリジェント自動販売機を示す外観模式図である。上記部材の他に、尚、商品陳列区２１０及び商品排出口２２０を含む。使用者は、商品陳列区２１０で商品を選定してから、支払設備１５０によって支払った後に、商品排出口２２０から商品を取り出せばよい。
【００１９】
図１及び第２図に示すように、インテリジェント自動販売機１００は、記憶ユニット１３０に各性別及び各年齢に対応する複数のパーソナライズドレコメンド広告が記憶される。当時使用者がインテリジェント自動販売機１００に近寄る時に、撮影ユニット１２０は、当該当時使用者の顔映像を撮影して、処理ユニット１１０は、撮影ユニット１２０による当該当時使用者の顔映像に基づいて、当該当時使用者の性別及び年齢を即時に分析して、当該当時使用者に対応する性別年齢分析結果を得る。引き続いて、処理ユニット１１０は、記憶ユニット１３０から当該性別年齢分析結果に対応するパーソナライズドレコメンド広告を取得して表示ユニット１６０で再生する。そのうち、異なる性別及び年齢に対応するパーソナライズドレコメンド広告は、商品サプライヤによって提供される。
【００２０】
例として、インテリジェント自動販売機１００は、多種類の飲料を販売する時に、処理ユニット１１０によってインテリジェント自動販売機１００に近寄る当時使用者が２５歳の女性と判断すると、処理ユニット１１０は記憶ユニット１３０からビタミンＣに富むジュースの広告を取得して表示ユニット１６０で再生する。処理ユニット１１０は、当時使用者が１５歳の男性と判断すれば、記憶ユニット１３０から運動飲料の広告を取得して表示ユニット１６０で再生する。
【００２１】
尚、処理ユニット１１０は、撮影ユニット１２０による使用者の顔映像に基づいて、使用者の性別及び年齢を分析して性別年齢分析結果を得て、使用者に購買される商品アイテムを取得して、プリセット時間内に、全ての使用者の性別年齢分析結果及び其購買される商品アイテムを収集し統計して、一日における期間毎に、消費が最も多い特定の使用者群及び最も販売される特定の商品種別を得て、これにより販売行為統計結果を作る。処理ユニットは、リモート通信ユニット１４０によってこの販売行為統計結果を商品サプライヤのリモート管理サーバー１９０に伝送する。
【００２２】
記憶ユニット１３０は、それぞれ各期間の特定の使用者群及び特定の商品種別に対応する複数の期間レコメンド広告を記憶して、これらの期間レコメンド広告は、商品サプライヤによって提供される。各期間内に、処理ユニット１１０は、各期間の販売行為統計結果に基づいて、記憶ユニット１３０から対応する期間レコメンド広告を取得して、表示ユニット１６０で再生する。
【００２３】
例として、そのうち、期間毎には、１時間と設定してもよく、一日には二十四の期間がある。上記のプリセット時間は一ヶ月である。一ヶ月内に、本発明のインテリジェント自動販売機１００の処理ユニット１１０は、全ての使用者の性別年齢分析結果及びその購買される商品アイテムを収集し統計して、一日における時間毎に、消費が最も多い特定の使用者群及び最も販売される特定の商品種別を得て、これにより販売行為統計結果を作る。処理ユニット１１０に得られる販売行為統計結果によれば、例えば、午前７時から８時までの期間に、消費が最も多い使用者群は、１０歳から１８歳の男性であり、最も販売される特定の商品種別は、ミルクである。午後２時から３時まで、消費が最も多い使用者群は、３０歳から４０歳の女性であり、最も販売される特定の商品種別はコーヒーである。
【００２４】
商品サプライヤは、当該販売行為統計結果を得た後に、異なる期間における消費が最も多い使用者群及び最も販売される特定の商品種別に基づいて、期間毎における再生に適する期間レコメンド広告を設計する。例えば、午前７時から８時までの期間に、青少年スターによって推薦されるミルク広告を再生してもよい。午後２時から３時までの期間に中年スターによって推薦されるコーヒー広告を再生してもよい。一つの期間内に一つの期間レコメンド広告のみがあれば、当該期間レコメンド広告を連続して再生する。一つの期間内に複数の期間レコメンド広告があれば、順番に再生する。
【００２５】
本発明の他の実施例において、期間レコメンド広告は、パーソナライズドレコメンド広告の実施と並行してもよい。例として、午後２時から３時までの期間に、プリセットされた中年男性のスターによって推薦されるコーヒ広告を再生してもよいが、午後２時３０分に、一人の当時使用者がインテリジェント自動販売機１００で商品を買おうとする時に、撮影ユニット１２０は、当該当時使用者の顔映像を撮影して、且つ処理ユニット１１０は、撮影ユニット１２０による当時使用者の顔映像に基づいて、当該当時使用者が６０歳の中年男性と判断して、この期間に消費が最も多い使用者群に属しない。この時、処理ユニット１１０は、即時に記憶ユニット１３０から６０歳男性に対応するパーソナライズドレコメンド広告を取得して表示ユニット１６０で再生する。
【００２６】
本発明の他の実施例において、処理ユニット１１０は、各期間における各商品アイテムの販売個数を統計して、元の在庫量及び各期間の各当該販売個数に基づいて、補充必要時刻を予測する。
【００２７】
例として、午前７時至８時までの期間にミルクの販売個数が多く、在庫量がこの期間に迅速に低下するため、処理ユニット１１０は、午前８時が補充必要時刻であると予測して、リモート通信ユニット１４０によってメッセージを発信して商品サプライヤにその予測される補充必要時刻を知らせる。他の実施例において、商品サプライヤがインテリジェント自動販売機１００の一ヶ月における販売行為統計結果によって、各期間における各商品アイテムの販売個数を得て、これにより補充必要時刻を決定する。
【００２８】
インテリジェント自動販売機１００の支払設備１５０は、使用者が現金、プラスチック紙幣（例えば、クレジットカード又は各類のストアドバリューカード）又はモバイル電子機器による支払等の方式で、各商品アイテムの費用を支払うことができるようにする。処理ユニット１１０は、使用者が商品アイテムを選定して支払った後に、使用者の支払い金額が正確であるかを判断して、正確であれば、商品アイテムに対応する実体商品を排出する。処理ユニット１１０は、使用者が商品アイテムを選定して支払った後に、使用者の支払い金額が不正確と判断すれば、表示ユニット１６０にエラーメッセージを表示させるように制御する。
【００２９】
インテリジェント自動販売機１００のモニタユニット１８０は、当時使用者の購買状況を撮影して、処理ユニット１１０は、リモート通信ユニット１４０で当時使用者の購買状況を即時にリモート管理サーバー１９０に伝送して、これにより随時にインテリジェント自動販売機１００の周辺状況を商品サプライヤに知らせる。
【００３０】
本発明の他の実施例において、処理ユニット１１０は、当時使用者の性別及び年齢を即時に分析して、当時使用者に対応する性別年齢分析結果を得た後、近距離通信ユニット１７０で、パーソナライズドレコメンド広告に相関する商品オンラインショッピングメッセージを当時使用者のモバイル電子機器に伝送する。商品オンラインショッピングメッセージは、商品オンラインショッピングウェブサイトを提供する二次元バーコード（ＱＲＣｏｄｅ）を含む。
【００３１】
例として、当時使用者がインテリジェント自動販売機１００に近寄る時に、処理ユニット１１０は、この当時使用者が２５歳の女性であることを分析して、表示ユニット１６０にビタミンＣに富むジュースの広告を再生させるように制御する他に、近距離通信ユニット１７０で当該ジュース広告に相関する商品オンラインショッピングメッセージを当時使用者の携帯電話に伝送して、この商品オンラインショッピングメッセージは、当該ジュース商品にリンクされるオンラインショッピングウェブサイトを提供するＱＲＣｏｄｅを含む。
【００３２】
本発明は、使用者が近寄る時に、即時的な顔認識に判別される使用者年齢及び性別結果に基づいて、使用者に適合するパーソナライズドレコメンド広告を薦めて使用者に見せるインテリジェント自動販売機を提供する。又、本発明によるインテリジェント自動販売機の顔認識機能によって、使用者の性別年齢分析結果及び購買される商品アイテムを収集し統計して、一日における期間毎に、消費が最も多い特定の使用者群及び最も販売される特定の商品種別を得て、これにより各期間に異なる期間レコメンド広告を提供する。尚、使用者の消費行為を利用して、期間毎の各商品アイテムの販売個数を統計して、その後、販売状況に基づいて、各商品の補充必要時刻を予測して、この補充必要時刻の前に、サプライヤに直ちに商品を補充させることができ、これにより、使用者により良い購買体験を持たせることができ、商品サプライヤもこの補充の待ち期間における收益を損失することもない。
【００３３】
本発明の多種類の実施形態を前述の通り開示したが、これらは本発明を限定するものではない。当業者は、本発明の精神と範囲を脱しない限り、各種の変更や修正を加えることができる。従って、本発明の保護範囲は、添付する特許請求の範囲に限定されるものを基準とする。
【符号の説明】
【００３４】
１００  インテリジェント自動販売機
１１０  処理ユニット
１２０  撮影ユニット
１３０  記憶ユニット
１４０  リモート通信ユニット
１５０  支払設備
１６０  表示ユニット
１７０  近距離通信ユニット
１８０  モニタユニット
１９０  リモート管理サーバー
【図１】
2018097832.tif 000003
【図２】
2018097832.tif 000004